【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
ワイヤレス通信システム内でコンテンツをストリーミングするための方法であって、
ワイヤレス通信レイヤおよびマルチメディアレイヤにおける時間に少なくとも部分的に基づいて、共通タイミングソースに関連する複合タイミング遅延を前記シンクデバイスによって識別するステップと、
前記識別された複合タイミング遅延に少なくとも部分的に基づいて、シンクデバイスタイミングを前記シンクデバイスによって調節するステップと、
前記調節されたシンクデバイスタイミングを前記シンクデバイスによって使用して、ソースデバイスから複数のシンクデバイスにストリーミングされるコンテンツの提示を同期するステップと
を含む方法。
【請求項２】
前記ワイヤレス通信レイヤを介するワイヤレス通信に関連する伝送リンク遅延を識別するステップと、
前記コンテンツをストリーミングするために使用される各レイヤに関連する内部インターフェースタイミング遅延を識別するステップであって、前記識別された複合タイミング遅延が、前記伝送リンク遅延および前記内部インターフェースタイミング遅延に少なくとも部分的に基づく、ステップと、
前記複合タイミング遅延に少なくとも部分的に基づいて、前記シンクデバイスの前記マルチメディアレイヤの前記タイミングを調節するステップと
をさらに含む請求項1に記載の方法。
【請求項３】
前記伝送リンク遅延を識別する前記ステップが、
前記ソースデバイスとタイミング測定および確認フレームを交換する少なくとも2つのラウンドを実施するステップ
を含む請求項2に記載の方法。
【請求項４】
前記内部インターフェースタイミング遅延が、部分的にはタイミング情報にアクセスするために、前記マルチメディアレイヤと前記ワイヤレス通信レイヤとの間の通信に関する遅延に関連付けられる請求項2に記載の方法。
【請求項５】
前記ワイヤレス通信レイヤからのタイミングインスタンスを識別するステップと、
前記コンテンツをストリーミングするために使用される各レイヤに関連する内部インターフェースタイミング遅延を識別するステップと、
前記内部インターフェースタイミング遅延に少なくとも部分的に基づいて、前記ワイヤレス通信レイヤからの前記タイミングインスタンスに対応する前記マルチメディアレイヤの前記タイミングを調節するステップと、
前記マルチメディアレイヤの前記調節されたタイミングに少なくとも部分的に基づいて、前記ストリーミングされたコンテンツとともに受信された提示タイムスタンプを変換することによって、マルチメディアレイヤタイミングソースの提示時刻を決定するステップと
をさらに含む請求項1に記載の方法。
【請求項６】
前記複数のシンクデバイスが、ピアツーピアネットワーク、インフラストラクチャネットワーク、またはそれらの組合せを介して前記ソースデバイスと通信する請求項1に記載の方法。
【請求項７】
前記共通タイミングソースに関連するタイミング情報を前記ソースデバイスから受信するステップであって、前記共通タイミングソースが、前記複数のシンクデバイスにコンテンツをストリーミングするために使用される、ステップ
をさらに含む請求項1に記載の方法。
【請求項８】
ワイヤレス通信システム内でストリーミングされたコンテンツを受信するためのシンクデバイスであって、
ワイヤレス通信レイヤおよびマルチメディアレイヤにおける時間に少なくとも部分的に基づいて、共通タイミングソースに関連する複合タイミング遅延を識別するための手段と、
前記識別された複合タイミング遅延に少なくとも部分的に基づいて、シンクデバイスタイミングを調節するための手段と、
前記調節されたシンクデバイスタイミングを使用して、ソースデバイスから複数のシンクデバイスにストリーミングされるコンテンツの提示を同期するための手段と
を備える装置。
【請求項９】
ワイヤレス通信システム内でコンテンツをストリーミングするための方法であって、
マルチメディアレイヤのタイミングに少なくとも部分的に基づいて、ワイヤレス通信レイヤによって識別された通信の時間に対するローカル調節をソースデバイスによって導出するステップと、
通信の前記時間に対する前記ローカル調節に少なくとも部分的に基づいて、共通タイミングソースに関連するタイミング情報を前記ソースデバイスによって識別するステップであって、前記共通タイミングソースが、複数のシンクデバイスにコンテンツをストリーミングするために使用される、ステップと、
前記ソースデバイスによって前記複数のシンクデバイスのうちの少なくとも1つに前記タイミング情報を送るステップと、
前記ソースデバイスによって前記複数のシンクデバイスに前記コンテンツをストリーミングするステップであって、前記コンテンツの提示が、前記タイミング情報に少なくとも部分的に基づいて前記複数のシンクデバイスと同期される、ステップと
を含む方法。
【請求項１０】
通信の前記時間に対する前記ローカル調節を決定する前記ステップが、
前記複数のシンクデバイスのうちの少なくとも1つに対するタイミング測定フレームのワイヤレス送信および受信の各々について前記共通タイミングソースに対応する出発時刻および到着時刻を決定するステップと、
調節された出発時刻および到着時刻を前記複数のシンクデバイスのうちの少なくとも1つに送るステップと
を含む請求項9に記載の方法。
【請求項１１】
前記複数のシンクデバイスのうちの少なくとも1つと前記タイミング測定フレームを交換する少なくとも2つのラウンドを実施するステップ
をさらに含む請求項10に記載の方法。
【請求項１２】
前記出発時刻および前記到着時刻を決定する前記ステップが、
前記マルチメディアレイヤと前記ワイヤレス通信レイヤとの間の通信に関連する内部インターフェースタイミング遅延を決定するステップと、
前記内部インターフェースタイミング遅延に少なくとも部分的に基づいて、前記出発時刻および前記到着時刻を調節するステップと
をさらに含む請求項10に記載の方法。
【請求項１３】
前記ワイヤレス通信レイヤからのタイミングインスタンスを識別するステップと、
前記コンテンツをストリーミングするために使用される各レイヤに関連する内部インターフェースタイミング遅延を識別するステップと、
前記内部インターフェースタイミング遅延に少なくとも部分的に基づいて、前記ワイヤレス通信レイヤからの前記タイミングインスタンスに対応するように前記マルチメディアレイヤの前記タイミングを調節するステップと、
前記マルチメディアレイヤの前記調節されたタイミングに対応するコンテンツペイロードについての提示タイムスタンプを導出するステップと
をさらに含む請求項9に記載の方法。
【請求項１４】
ワイヤレス通信システム内でコンテンツをストリーミングするためのソースデバイスであって、
マルチメディアレイヤのタイミングに少なくとも部分的に基づいて、ワイヤレス通信レイヤによって識別された通信の時間に対する調節を導出するための手段と、
通信の前記時間に対する前記調節に少なくとも部分的に基づいて、共通タイミングソースに関連するタイミング情報を識別するための手段であって、前記共通タイミングソースが、複数のシンクデバイスにコンテンツをストリーミングするために使用される、手段と、
前記複数のシンクデバイスのうちの少なくとも1つに前記タイミング情報を送るための手段と、
前記複数のシンクデバイスに前記コンテンツをストリーミングするための手段であって、前記コンテンツの提示が、前記タイミング情報に少なくとも部分的に基づいて前記複数のシンクデバイスと同期される、手段と
を備える装置。
【請求項１５】
実行されると請求項1から7または9から13のいずれか一項に記載の方法を行わせるプログラムコードを含む、コンピュータ可読記憶媒体。